(57)【要約】【課題】システム規模が大きくなっても、総合監視装置にかかる負担が勢い増大することなく、高コストの総合監視装置を必要としないようにする。【解決手段】照明器具２１、照明制御コントローラ２０を含む照明サブシステム２と、空調機器３１、空調制御コントローラ３０を含む空調サブシステム３と、サブシステム内の負荷機器による消費電力を監視する消費電力監視部１２を持ち、監視中の消費電力を低減する必要がある場合にサブシステム内のコントローラに電力削減指示を出す総合監視装置１とをネットワークに接続してマネジメントシステムを構成した。コントローラは、総合監視装置１から電力削減指示を受けると、自己が属するサブシステム内の負荷機器に対し、現在の負荷出力レベルよりも低い負荷出力レベルを求めてこの負荷出力レベルで動作させるように制御を行う。【選択図】  図１
2004178938.tif 000002
【特許請求の範囲】
【請求項１】
負荷機器として照明器具を含むとともにこの照明器具の制御を行う照明用のコントローラを含む照明用のサブシステムと、
別種の負荷機器を含むとともにこの負荷機器の制御を行う負荷機器用のコントローラを含む負荷機器用のサブシステムと、
これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置と
をネットワークに接続して構成されるマネジメントシステムに含まれる少なくとも１つの前記照明用のサブシステムによりなる照明制御システムであって、
前記照明用および負荷機器用のコントローラのうち、少なくとも照明用のコントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行う
ことを特徴とする照明制御システム。
【請求項２】
請求項１記載の照明制御システム、または負荷機器として照明器具を含むとともにこの照明器具の制御を行う照明用のコントローラを含む照明用のサブシステムと、
別種の負荷機器を含むとともにこの負荷機器の制御を行う負荷機器用のコントローラを含む負荷機器用のサブシステムと、
これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置と
をネットワークに接続して構成されるマネジメントシステムであって、
前記照明用および負荷機器用の各コントローラが互いに連動する
ことを特徴とするマネジメントシステム。
【請求項３】
前記負荷機器用のサブシステムは、前記別種の負荷機器として空調機器を含むとともにこの空調機器の制御を行う空調用のコントローラを前記負荷機器用のコントローラとして含み、
前記照明用および空調用の各コントローラが前記総合監視装置から電力削減指示を受けると、前記照明用のコントローラは、自己が属するサブシステム内の照明器具に対し、現在の負荷出力レベルよりも低い負荷出力レベルを照明用の目標レベルとして求めてこの目標レベルに徐々に近づけて動作させるように制御を行う一方、前記空調用のコントローラは、自己が属するサブシステム内の空調機器に対し、現在の負荷出力レベルよりも低い負荷出力レベルを空調用の目標レベルとして求めてこの目標レベルより低い負荷出力レベルで動作させ、前記照明用のコントローラが前記照明用の目標レベルに近づけた時分に前記空調用の目標レベルで動作させるように制御を行う
ことを特徴とする請求項２記載のマネジメントシステム。
【請求項４】
前記負荷機器用のサブシステムは、前記別種の負荷機器として空調機器を含むとともにこの空調機器の制御を行う空調用のコントローラを前記負荷機器用のコントローラとして含み、蓄熱または蓄冷機能を有するものであり、
タイムスケジュールに従って、前記照明用のコントローラは、自己が属するサブシステム内の照明器具に対し、現在の負荷出力レベルよりも低い負荷出力レベルで動作させるように制御を行う一方、前記空調用のコントローラは、前記照明用のコントローラが負荷出力レベルを低くしたことによる電力削減量を利用して、蓄熱または蓄冷するように制御を行う
ことを特徴とする請求項２記載のマネジメントシステム。
【請求項５】
前記負荷機器用のサブシステムは、前記別種の負荷機器として電動式のブラインドを含むとともにこのブラインドの制御を行うブラインド用のコントローラを前記負荷機器用のコントローラとして含み、
前記照明用およびブラインド用の各コントローラが前記総合監視装置から電力削減指示を受けると、前記照明用のコントローラは、自己が属するサブシステム内の照明器具に対し、現在の負荷出力レベルよりも低い負荷出力レベルを求めてこの負荷出力レベルで動作させるように制御を行う一方、前記ブラインド用のコントローラは、自己が属するサブシステム内のブラインドに対し、開制御を行う
ことを特徴とする請求項２記載のマネジメントシステム。
【請求項６】
前記照明用および負荷機器用のサブシステムはビル設備として設けられ、
前記ブラインド用のコントローラは、前記開制御を行う場合、夏場であれば外光による光をそのブラインドのスラットでビル内の天井面に向けて反射させるようにそのスラットの傾きの制御を行う一方、冬場であれば外光による光および熱をそのブラインドのスラットでビル内の部屋に向けて反射させるようにそのスラットの傾きの制御を行う
ことを特徴とする請求項５記載のマネジメントシステム。
【発明の詳細な説明】
【０００１】
【発明の属する技術分野】
本発明は、負荷機器およびこの制御用のコントローラを含むサブシステムと、このサブシステム内の負荷機器による消費電力を監視する消費電力監視手段を持つ総合監視装置とをネットワークに接続して構成されるマネジメントシステムにおける上記サブシステムからなる負荷制御システム、およびマネジメントシステムに関するものである。
【０００２】
【従来の技術】
（第１従来技術）
図１１は第１従来技術の（ビル）マネジメントシステムの構成図、図１２は同マネジメントシステムにおける総合監視装置の構成図、図１３は同マネジメントシステムにおける照明サブシステムの模式図である。
【０００３】
第１従来技術のマネジメントシステムは、図１１に示すように、総合監視装置１ＰＡと、種々のサブシステム（２ＰＡ，３ＰＡ，４，５）と、ＯＡネットワークシステム７との信号の橋渡しをするゲートウェイ６とをビル設備ネットワークの配線Ｌ１に接続して構成され、各サブシステムの消費電力管理および運転記録管理が総合監視装置１ＰＡによって行われるようになっている。
【０００４】
総合監視装置１ＰＡは、図１２に示すように、各サブシステムとの信号送受信用のビルネットワークインターフェイス１１と、各サブシステムの消費電力を監視する消費電力監視部１２ＰＡと、各サブシステムの消費電力の目標値を設定する電力目標値管理部１４と、各サブシステムの動作状態に基づいて（電力削減）制御動作パターンを算出する制御判断部１５と、各サブシステムの動作状態情報、および消費電力監視部１２ＰＡ、電力目標値管理部１４、制御判断部１５の演算結果に基づいて、各サブシステムヘの指示信号を生成する制御部１０ＰＡとを備え、各サブシステムの電力監視制御を行う。
【０００５】
サブシステムには、図１１に示すように、照明器具２１ＰＡおよびこれを制御するための照明制御コントローラ２０ＰＡから成る照明サブシステム２ＰＡと（図１３参照）、空調機器およびこれを制御するための空調制御コントローラからなる空調サブシステム３ＰＡと、防犯機器およびこれを制御するための防犯制御コントローラからなる防犯サブシステム４と、防災機器およびこれを制御するための防災制御コントローラからなる防災サブシステム６とがある。
【０００６】
このような構成のマネジメントシステムの概略動作について説明すると、総合監視装置１ＰＡにおいて、消費電力監視部１２ＰＡは、各サブシステムの消費電力を監視し、サブシステムの消費電力が予め規定された電力量を超えると電力削減要求を出す。電力目標値管理部１４は、制御部１０ＰＡを介してその電力削減要求を受けると、各サブシステムの消費電力を削減するための電力目標値を設定する。制御判断部１５は、サブシステム毎に電力目標値管理部１４で設定された電力目標値を実現するための制御動作パターンを算出して制御部１０ＰＡに出力する。制御部１０ＰＡは、制御動作パターンに基づいて、各サブシステムにおいて電力削減制御を実行するための電力削減制御信号を生成し、ビルネットワークインターフェイス１１を介して出力する。
【０００７】
各サブシステムは、総合監視装置１ＰＡから電力削減制御信号を受信すると、この電力削減制御信号に含まれる内容に従って自己の負荷機器の電力削減制御を行う。電力削減制御の後、サブシステム内の消費電力の情報が総合監視装置１ＰＡにフィードバックされ、電力目標値の削減を達成するまで、各サブシステムにおいて電力削減制御が行われる。
【０００８】
なお、図１１において、少なくとも１つの同種のサブシステムにより一の負荷制御システムが構成され、この場合、図中の各サブシステムは負荷制御システムと読み替えられる。例えば、少なくとも１つの照明サブシステム２ＰＡにより照明制御システムが構成され、また少なくとも１つの空調サブシステム３ＰＡにより空調制御システムが構成される。図１３の例では、複数の照明サブシステム２ＰＡにより照明制御システムが構成されている。
【０００９】
（第２従来技術）
第２従来技術のマネジメントシステムでは、第１従来技術と同様に、総合監視装置が、消費電力監視部でのサブシステムの消費電力監視により、電力削減制御信号を出力したとすると、各サブシステムが、電力削減制御信号の内容に従って負荷機器の電力削減制御を行う。この電力削減制御の後、サブシステムの消費電力が総合監視装置にフィードハックされ、電力目標値を達成するまで、各サブシステムにおいて電力削減制御が行われる。
【００１０】
照明サブシステムでは、電力削減制御信号に沿って照明器具の点灯レベルを下げることによって消費電力を削減する電力削減制御が行われる。空調サブシステムでは、電力削減制御信号に沿って、空調機の設定温度条件を緩和して空調機の運転パワーを下げることによって電力削減制御が行われる。これらの電力削減制御は各サブシステムごとに独立して行われる。
【００１１】
（第３従来技術）
第３従来技術のマネジメントシステムとして、電力会社との契約電力量を考慮して電力削減制御を行うものがある。ビルマネジメントシステムの場合、通常、１年間で一番消費電力の多かった月の電力量（需要電力の最大値）を契約電力量として設定し、その値に基づいて電力料金の基本料金を算出して、１年間運用される。
【００１２】
この場合、例えば、８月の消費電力が一番多く、１０月の消費電力が少なかったとしても、１０月も８月を基準に計算されるので、１０月の消費電力が少なくても８月と同じだけの金額を支払う必要がある。また、ある月の消費電力量が契約電力量を超えると、直ちに次の月からの基本料金が更新されて、その後１年間の基本料金として運用される。
【００１３】
このため、ピークの消費電力をできるだけ低くして、年間を通じて電力消費量ができるだけ平均化されるようにすることが望まれる。特に、ビルの管理サイドでは、ピークの消費電力を確実にカットしたいという要望が強い。
【００１４】
このような理由により、従来では、電力ピークカット制御として、３０分間の平均電力である需要電力が電力会社との契約電力より大きくならないように電力制御が実行される。例えば、夏の一番暑い時間帯の電力をカットできるように、空調を緩めたり、その時間帯の照明を暗くしたりする制御が実行される。
【００１５】
（第４従来技術）
第４従来技術のマネジメントシステムとして、自然光を室内に採り入れて照明器具の消費電力削減に利用するものがあり、一般に、自然光の採光調節手段としてブラインドが使用されている。
【００１６】
なお、特開平１１−４５７８２号公報（特許文献１）には、伝送線によって主制御装置に照明負荷調光用を含む１乃至複数の端末器を接続し、主制御装置では照明負荷の調光出力値を調光制御データとして伝送線を介して調光用端末器に伝送し、調光用端末機は調光出力値に応じて照明負荷を調光する調光監視制御システムが記載されている。
【００１７】
【特許文献１】
特開平１１−４５７８２号公報
【００１８】
【発明が解決しようとする課題】
第１従来技術では、電力監視、電力削減制御の機能が総合監視装置に集中しており、システム規模が大きくなると、各サブシステムの消費電力監視、電力削減のための制御動作パターン算出時の演算処理において、総合監視装置の負担が重くなる問題がある。また、上記の機能を実現するには、総合監視装置内の消費電力監視部、制御判断部、制御部に、高機能な演算処理機能を必要とし、総合監視装置自体が高コストになってしまう。
【００１９】
第２従来技術では、第１従来技術と同様に、電力削減制御の動作判断機能が総合監視装置に集中する。照明、空調などの各サブシステムの電力削減制御の制御動作の内容はすべて総合監視装置内で算出され、各サブシステムにおいては総合監視装置の指示内容に沿って制御を実行する。このため、システム規模が大きくなると、各サブシステムの消費電力監視、電力削減のための制御動作パターン算出時の演算処理において、総合監視装置の負担が重くなる課題があり、上記と同様の問題が生じる。
【００２０】
また、照明サブシステムと空調サブシステムがそれぞれ独立した電力削減制御を行うので、総合監視装置の電力削減制御による照明器具の点灯レベル低下、および空調機器の動力低下により、室内環境の快適度が低下して損なわれる恐れがあった。
【００２１】
第３従来技術では、第２従来技術と同様、温度環境や視環境が悪くなり、作業者にとって不快な状況となる可能性が高い。
【００２２】
第４従来技術では、自然光の眩しさや太陽光の熱の問題から、ブラインドによる採光調節が充分に活用されずに、自然光の遮蔽手段としてブラインドが使用されるに過ぎず、結果として充分な省エネ効果を得ることができない。また、ブラインド制御と照明器具の点灯制御がそれぞれ別々に行われるので、視環境、周囲温度環境の点で適切な制御が行われているとは言い難い。
【００２３】
また、自然光を天井面に反射させて、眩しさを抑制し、自然光を積極的に利用するためのブラインドの制御方法も提案されているが、机上面の照度が不足する恐れがあった。
【００２４】
本発明は、上記事情に鑑みてなされたものであり、システム規模が大きくなっても、総合監視装置にかかる負担が勢い増大することなく、高コストの総合監視装置を必要としない照明制御システムおよびマネジメントシステムを提供することを目的とする。
【００２５】
【課題を解決するための手段】
上記課題を解決するための請求項１記載の発明は、負荷機器として照明器具を含むとともにこの照明器具の制御を行う照明用のコントローラを含む照明用のサブシステムと、別種の負荷機器を含むとともにこの負荷機器の制御を行う負荷機器用のコントローラを含む負荷機器用のサブシステムと、これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成されるマネジメントシステムに含まれる少なくとも１つの前記照明用のサブシステムによりなる照明制御システムであって、前記照明用および負荷機器用のコントローラのうち、少なくとも照明用のコントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うことを特徴とする。
【００２６】
請求項２記載の発明は、請求項１記載の照明制御システム、または負荷機器として照明器具を含むとともにこの照明器具の制御を行う照明用のコントローラを含む照明用のサブシステムと、別種の負荷機器を含むとともにこの負荷機器の制御を行う負荷機器用のコントローラを含む負荷機器用のサブシステムと、これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成されるマネジメントシステムであって、前記照明用および負荷機器用の各コントローラが互いに連動することを特徴とする。
【００２７】
請求項３記載の発明は、請求項２記載のマネジメントシステムにおいて、前記負荷機器用のサブシステムは、前記別種の負荷機器として空調機器を含むとともにこの空調機器の制御を行う空調用のコントローラを前記負荷機器用のコントローラとして含み、前記照明用および空調用の各コントローラが前記総合監視装置から電力削減指示を受けると、前記照明用のコントローラは、自己が属するサブシステム内の照明器具に対し、現在の負荷出力レベルよりも低い負荷出力レベルを照明用の目標レベルとして求めてこの目標レベルに徐々に近づけて動作させるように制御を行う一方、前記空調用のコントローラは、自己が属するサブシステム内の空調機器に対し、現在の負荷出力レベルよりも低い負荷出力レベルを空調用の目標レベルとして求めてこの目標レベルより低い負荷出力レベルで動作させ、前記照明用のコントローラが前記照明用の目標レベルに近づけた時分に前記空調用の目標レベルで動作させるように制御を行うことを特徴とする。
【００２８】
請求項４記載の発明は、請求項２記載のマネジメントシステムにおいて、前記負荷機器用のサブシステムは、前記別種の負荷機器として空調機器を含むとともにこの空調機器の制御を行う空調用のコントローラを前記負荷機器用のコントローラとして含み、蓄熱または蓄冷機能を有するものであり、タイムスケジュールに従って、前記照明用のコントローラは、自己が属するサブシステム内の照明器具に対し、現在の負荷出力レベルよりも低い負荷出力レベルで動作させるように制御を行う一方、前記空調用のコントローラは、前記照明用のコントローラが負荷出力レベルを低くしたことによる電力削減量を利用して、蓄熱または蓄冷するように制御を行うことを特徴とする。
【００２９】
請求項５記載の発明は、請求項２記載のマネジメントシステムにおいて、前記負荷機器用のサブシステムは、前記別種の負荷機器として電動式のブラインドを含むとともにこのブラインドの制御を行うブラインド用のコントローラを前記負荷機器用のコントローラとして含み、前記照明用およびブラインド用の各コントローラが前記総合監視装置から電力削減指示を受けると、前記照明用のコントローラは、自己が属するサブシステム内の照明器具に対し、現在の負荷出力レベルよりも低い負荷出力レベルを求めてこの負荷出力レベルで動作させるように制御を行う一方、前記ブラインド用のコントローラは、自己が属するサブシステム内のブラインドに対し、開制御を行うことを特徴とする。
【００３０】
請求項６記載の発明は、請求項５記載のマネジメントシステムにおいて、前記照明用および負荷機器用のサブシステムはビル設備として設けられ、前記ブラインド用のコントローラは、前記開制御を行う場合、夏場であれば外光による光をそのブラインドのスラットでビル内の天井面に向けて反射させるようにそのスラットの傾きの制御を行う一方、冬場であれば外光による光および熱をそのブラインドのスラットでビル内の部屋に向けて反射させるようにそのスラットの傾きの制御を行うことを特徴とする。
【００３１】
【発明の実施の形態】
（第１実施形態）
図１は本発明による第１実施形態のマネジメントシステムの構成図、図２は図１中の照明器具の構成図である。
【００３２】
第１実施形態のマネジメントシステムは、図１に示すように、総合監視装置１と、複数の照明サブシステム２とをビル設備ネットワークの配線Ｌ１に接続して構成されるビル設備（機器）である。
【００３３】
なお、ビル設備ネットワークの配線Ｌ１には、図略の負荷機器用のサブシステムが少なくとも１つ接続されるが、第１実施形態では、照明サブシステム２および負荷機器用のサブシステムのうち、少なくとも照明サブシステム２が行う、総合監視装置１からの後述の電力削減指示に従った制御に特徴があるので、以下では総合監視装置１および照明サブシステム２をメインに説明する。
【００３４】
総合監視装置１は、複数のサブシステム（照明サブシステム２などの各種サブシステム）との信号送受信用のビルネットワークインターフェイス１１を第１従来技術と同様に備えているほか、第１従来技術との相違点として、消費電力監視部１２と、制御部１０とを備えている。
【００３５】
消費電力監視部１２は、複数のサブシステム内の各負荷機器による消費電力を監視するものである。具体的には、ビルネットワークインターフェイス１１を介して、複数のサブシステムの各々からサブシステムの消費電力値（以下「サブシステム消費電力値」という）を取得し、これらのサブシステム消費電力値を合計して各サブシステム全体の消費電力値（以下「システム消費電力値」という）を算出し、このシステム消費電力値が自己に保持してある消費電力規定値を超えるか否かに応じて電力削減要求を出すか否かを判断するように構成される。電力削減指示には、例えば電力削減レベル１、電力削減レベル２，…の順に削減量が多くなる複数のレベルがあり、そのレベルに応じた消費電力規定値がそのレベルの電力削減要求を出すか否かを判断するために使用される。なお、上記システム消費電力値は、各サブシステム全体の消費電力値になっているが、少なくとも１つの照明サブシステムにより構成される照明制御システムや、少なくとも１つの空調サブシステムにより構成される空調制御システムなどの各種負荷制御システム単位で算出される構成でもよい。
【００３６】
制御部１０は、各サブシステムの動作状態および消費電力監視部１２による監視結果などに基づいて、ビルネットワークインターフェイス１１を介して各サブシステムに指示を出すなど、マネジメントシステム全般の制御などの処理を行うものである。例えば、消費電力監視部１２によって電力削減要求を出すと判断されると、電力削減指示信号を生成してビルネットワークインターフェイス１１を介して各サブシステムに送信する処理が実行される。電力削減指示信号は、電力削減要求が出たことのみを通知するものであり、負荷制御動作の具体的な内容を含まない。
【００３７】
照明サブシステム２は、複数の、負荷機器としての照明器具２１と、これらの照明器具２１と照明信号線Ｌ２を介して接続され、各照明器具２１の制御を行う照明制御コントローラ２０とを備えている。
【００３８】
照明器具２１は、例えば図２に示すように、照明制御コントローラ２０との信号送受信用の信号送受信部２１１と、光源としてのランプ負荷ＬＤと接続され、後述の制御部２１０による制御に従ってランプ負荷ＬＤを点灯、消灯または調光する点灯装置２１２と、ランプ負荷ＬＤの点灯レベル（例えばいわゆるランプ電圧およびランプ電流のレベル）を検出する点灯レベル検出回路２１３とを備えているとともに、制御部２１０を備えている。
【００３９】
この制御部２１０は、照明器具２１全般の制御などの処理、例えば、照明制御信号の信号処理、照明器具２１の動作状態情報信号の生成処理および点灯装置２１２の制御などを行うものである。より具体的には、照明制御コントローラ２０からの照明制御信号が信号送受信部２１１で受信されると、その照明制御信号に含まれる制御内容（制御動作パターン）に従って点灯装置２１２を制御することにより、ランプ負荷ＬＤを点灯、消灯または調光する制御（電力制御）が実行される。また、点灯レベル検出回路２１３で検出された現在の点灯レベルと、予め保持しているランプ負荷ＬＤの定格ランプ消費電力値とに基づいて、照明器具２１の消費電力値（以下「負荷消費電力値」という）の情報を作成し、信号送受信部２１１を介して照明制御コントローラ２０に送信する処理が実行される。ここで、定格ランプ消費電力値が使用されるのは、電力制御のために調光率を知る必要があるからである。
【００４０】
図１に戻って、照明制御コントローラ２０は、総合監視装置１との信号送受信用のビルネットワークインターフェイス２０１と、自己が属する照明サブシステム２内の各照明器具２１との信号送受信用の信号送受信部２０２と、制御動作パターンに合う照明制御信号を生成する照明制御信号生成部２０３とを備えているほか、電力目標値管理部２０４と、制御判断部２０５と、演算処理部２００とを備えている。
【００４１】
電力目標値管理部２０４は、自己が属する照明サブシステム２内の各照明器具２１の消費電力の目標値（以下「サブシステム目標値」という）を設定するものである。サブシステム目標値は、電力削減指示の電力削減レベルに応じて設定される。
【００４２】
制御判断部２０５は、電力目標値管理部２０４で設定されたサブシステム目標値に合わせて、各照明器具２１の制御動作パターンを作成（算出）するものである。例えば、自己が属する照明サブシステム２内の各照明器具２１の少なくとも一部に対して、現在の負荷出力レベルとしての負荷消費電力値よりも小さい負荷消費電力値を個別目標値として求めてこの個別目標値で動作させるための制御動作パターンが作成される。
【００４３】
演算処理部２００は、演算処理を通じて照明サブシステム２全般の制御などの処理を行うものであり、例えば、信号送受信部２０２を介して各照明器具２１から負荷消費電力値を取得すると、これら負荷消費電力値を加算してサブシステム消費電力値を求め、ビルネットワークインターフェイス２０１を介してそのサブシステム消費電力値を総合監視装置１に送信する処理を行う。また、総合監視装置１からの電力削減指示信号がビルネットワークインターフェイス２０１で受信されると、電力目標値管理部２０４および制御判断部２０５と協調して上記制御動作パターンを作成するための処理が実行される。さらに、その制御動作パターンに合う照明制御信号が照明制御信号生成部２０３で生成されると、信号送受信部２０２を介してその照明制御信号を各照明器具２１に送信する処理が実行される。
【００４４】
次に第１実施形態のマネジメントシステムの動作について説明する。各照明サブシステム２の各照明器具２１において、点灯レベル検出回路２１３で検出された現在の点灯レベルと定格ランプ消費電力値とから負荷消費電力値の情報が作成され、信号送受信部２１１を介して照明制御コントローラ２０に送信される。
【００４５】
各照明サブシステム２の照明制御コントローラ２０において、照明サブシステム２内の各照明器具２１からの負荷消費電力値の情報が信号送受信部２０２を介して取得されると、それら負荷消費電力値を加算することによりサブシステム消費電力値が求められる。この後、そのサブシステム消費電力値は、ビルネットワークインターフェイス２０１を介して総合監視装置１に送信される。
【００４６】
総合監視装置１において、照明サブシステム２などの各サブシステムからのサブシステム消費電力値がビルネットワークインターフェイス１１を介して取得されると、それらサブシステム消費電力値を合計することによりシステム消費電力値が算出される。この後、システム消費電力値が消費電力規定値を超えるか否かに応じて電力削減要求を出すか否かの判断が行われる。そして、電力削減要求を出さないとの判断が行われると、マネジメントシステムの現在の動作状態が維持される一方、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて送信されるとする。
【００４７】
各照明サブシステム２の照明制御コントローラ２０において、総合監視装置１からの電力削減レベル１の電力削減指示信号がビルネットワークインターフェイス２０１で受信されると、電力削減レベル１に対応する電力削減制御モードに移行する。そして、演算処理部２００の指示、転送および信号処理等の協調下で、電力目標値管理部２０４によって電力削減レベル１用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００４８】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるように低減する。
【００４９】
続いて、制御部２１０によって、点灯レベル検出回路２１３で検出された現在の点灯レベルと定格ランプ消費電力値とから負荷消費電力値の情報が作成され、信号送受信部２１１を介して照明制御コントローラ２０に送信される。なお、この負荷消費電力値の情報の送信処理は、定格ランプ消費電力値を照明制御コントローラ２０に既に送っているなら、省略可能である。
【００５０】
各照明サブシステム２の照明制御コントローラ２０において、最新の各負荷消費電力値からサブシステム消費電力値が算出されサブシステム目標値以下であるか否かの判断が行われる。ここで、各照明器具２１から負荷消費電力値の情報が送信される場合には、それら負荷消費電力値を加算することによりサブシステム消費電力値が算出される。一方、各照明器具２１に対する照明制御信号に含まれる制御内容が調光率であり、各照明器具２１の定格ランプ消費電力値を保持している場合には、その定格ランプ消費電力値に調光率を乗じることにより負荷消費電力値を算出し、各照明器具２１の負荷消費電力値を加算することにより、サブシステム消費電力値が算出される。
【００５１】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力（例えば定格ランプ消費電力値）で各照明器具２１が動作する。
【００５２】
一方、サブシステム消費電力値がサブシステム目標値を超えて、演算処理部２００によって目標未達成と判断されるか、または電力削減レベル２に切り替えられるかすれば、電力削減レベル２に対応する電力削減制御モードに移行する。そして、電力目標値管理部２０４によって電力削減レベル２用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００５３】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるようにさらに低減する。
【００５４】
各照明サブシステム２の照明制御コントローラ２０において、最新の各負荷消費電力値からサブシステム消費電力値が算出されサブシステム目標値以下であるか否かの判断が行われる。
【００５５】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１が動作する。
【００５６】
一方、サブシステム消費電力値がサブシステム目標値を超えて、演算処理部２００によって目標未達成と判断されるか、または電力削減レベル３以上のレベルに切り替えられるかすれば、その電力削減レベル３以上に対応する電力削減制御モードに移行し、上記と同様の処理が実行される。なお、電力削減レベルが電力削減量の最大レベルである場合には、例えば、総合監視装置１から電力削減解除信号が送信されるまで、最大の電力削減レベルの動作状態が維持されるようにしてもよい。
【００５７】
以上、第１実施形態によれば、各照明サブシステム２に含まれる照明制御コントローラ２０が、自己の属する照明サブシステム２内の各照明器具２１の少なくとも一部に対し、現在の負荷消費電力値よりも小さい個別目標値を求めてこの個別目標値で動作させるように制御を行うので、総合監視装置１は、電力削減指示を与えるだけで各照明器具２１の具体的な制御を行う必要がなくなるため、総合監視装置１の演算処理の負担を軽減することができ、その構成を簡単にして安価にすることができる。これにより、システム規模が大きくなっても、総合監視装置にかかる負担が勢い増大することなく、高コストの総合監視装置を必要としない照明制御システムおよびこれを含むマネジメントシステムを提供することができる。
【００５８】
（第２実施形態）
図３は本発明による第２実施形態のマネジメントシステムの構成図、図４，図５は同マネジメントシステムの動作説明図である。
【００５９】
第２実施形態のマネジメントシステムは、図３に示すように、第１実施形態と同様の総合監視装置１と、第１実施形態とは異なる少なくとも１つの照明サブシステム２Ａと、少なくとも１つの空調サブシステム３とをビル設備ネットワークの配線Ｌ１に接続して構成され、照明サブシステム２Ａおよび空調サブシステム３の各コントローラが互いに連動するようになっている。
【００６０】
照明サブシステム２Ａは、第１実施形態と同様の複数の照明器具２１と、これらの照明器具２１と照明信号線Ｌ２を介して接続され、各照明器具２１の制御を行う照明制御コントローラ２０Ａとを備えている。
【００６１】
照明制御コントローラ２０Ａは、ビルネットワークインターフェイス２０１と、信号送受信部２０２と、照明制御信号生成部２０３と、電力目標値管理部２０４とを第１実施形態の照明制御コントローラ２０と同様に備えているほか、照明制御コントローラ２０との相違点として、制御判断部２０５Ａと、演算処理部２００Ａとを備えている。
【００６２】
制御判断部２０５Ａは、電力目標値管理部２０４で設定されたサブシステム目標値に合わせて、自己が属する照明サブシステム２Ａ内の各照明器具２１の少なくとも一部に対し、現在の負荷消費電力値よりも小さい個別目標値を求めてこの個別目標値に徐々に近づけて動作させるための制御動作パターンを作成する。
【００６３】
演算処理部２００Ａは、第１実施形態の演算処理部２００との相違点として、照明制御信号生成部２０３によって制御動作パターンに合うように生成される照明制御信号が上記個別目標値に近づいた時分に、制御動作完了信号を生成して、ビルネットワークインターフェイス２０１を介して総合監視装置１経由でまたは直接、空調サブシステム３に送信する処理をさらに実行する。
【００６４】
なお、上記の如く、照明制御信号生成部２０３によって制御動作パターンに合うように生成される照明制御信号に、上記個別目標値に徐々に近づけるための制御値が含まれる構成に限らず、照明制御信号には個別目標値が含まれ、その照明制御信号を受信した各照明器具２１の制御部２１０が個別目標値に徐々に近づけるように点灯装置２１２の制御を行う構成でもよい。この場合には、個別目標値に近づいた時分に照明器具２１が照明制御コントローラ２０Ａにその旨（目標到達）の通知をし、この通知を受けた照明制御コントローラ２０Ａが上記制御動作完了信号を空調サブシステム３に送信するようにすればよい。
【００６５】
空調サブシステム３は、複数の、負荷機器としての空調機器３１と、これらの空調機器３１と空調信号線Ｌ３を介して接続され、各空調機器３１の制御を行う空調制御コントローラ３０とを備えている。
【００６６】
空調機器３１は、例えば、空調制御コントローラ３０との信号送受信用の信号送受信部および空調機の運転レベルを検出する運転レベル検出回路などを備え、空調制御コントローラ３０からの空調制御信号が信号送受信部で受信されると、その空調制御信号に含まれる制御内容（制御動作パターン）に従って空調機を制御するほか、運転レベル検出回路で検出された運転レベルおよび最大出力値などに基づいて、自己の消費電力値（負荷消費電力値）の情報を作成し、信号送受信部を介して空調制御コントローラ３０に送信するようになっている。
【００６７】
空調制御コントローラ３０は、総合監視装置１との信号送受信用のビルネットワークインターフェイス３０１と、自己が属する空調サブシステム３内の各空調機器３１との信号送受信用の信号送受信部３０２と、制御動作パターンに合う空調制御信号を生成する空調制御信号生成部３０３とを備えているほか、電力目標値管理部３０４と、制御判断部３０５と、演算処理部３００とを備えている。
【００６８】
電力目標値管理部３０４は、自己が属する空調サブシステム３内の各空調機器３１の消費電力の目標値（サブシステム目標値）を設定するものである。サブシステム目標値は、電力削減指示の電力削減レベルに応じて設定される。
【００６９】
制御判断部３０５は、電力目標値管理部３０４で設定されたサブシステム目標値に合わせて、自己が属する空調サブシステム３内の各空調機器３１の少なくとも一部に対し、現在の負荷出力レベルとしての負荷消費電力値よりも小さい負荷消費電力値を空調用の個別目標値として求めてこの個別目標値よりも小さい負荷消費電力値で動作させ、照明制御コントローラ２０Ａからの制御動作完了信号がビルネットワークインターフェイス３０１で受信されると、上記空調用の個別目標値で動作させるための制御動作パターンを作成するものである。
【００７０】
演算処理部３００は、演算処理を通じて空調サブシステム３全般の制御などの処理を行うものであり、例えば、信号送受信部３０２を介して各空調機器３１から負荷消費電力値を取得すると、これら負荷消費電力値を加算してサブシステム消費電力値を求め、ビルネットワークインターフェイス３０１を介してそのサブシステム消費電力値を総合監視装置１に送信する処理を行う。また、総合監視装置１からの電力削減指示信号がビルネットワークインターフェイス３０１で受信されると、電力目標値管理部３０４および制御判断部３０５と協調して上記制御動作パターンを作成するための処理が実行される。さらに、その制御動作パターンに合う照明制御信号が照明制御信号生成部３０３で生成されると、信号送受信部３０２を介してその照明制御信号を各空調機器３１に送信する処理が実行される。
【００７１】
次に第２実施形態のマネジメントシステムの動作について説明する。第１実施形態と同様の手順を経て、総合監視装置１において、電力削減要求を出すとの判断が行われると、（例えば電力削減レベル１の）電力削減指示信号が生成されてビルネットワークインターフェイス１１を介して各サブシステムに送信される。
【００７２】
照明サブシステム２Ａの照明制御コントローラ２０Ａにおいて、総合監視装置１からの電力削減指示信号がビルネットワークインターフェイス２０１で受信されると（図４のＳ１，図５のｔ１）、電力削減制御モードに移行する。そして、電力目標値管理部２０４によってサブシステム目標値が設定され、これに合わせて制御判断部２０５Ａによって、照明サブシステム２Ａ内の各照明器具２１の少なくとも一部に対し、現在の負荷消費電力値よりも小さい個別目標値（図５では「ΔＷ２」）が求められ、この個別目標値に徐々に近づけて動作させるための制御動作パターンが作成される。続いて、その制御動作パターンに合う照明制御信号が照明制御信号生成部２０３によって生成されて、信号送受信部２０２から各照明器具２１に送信される（Ｓ２）。
【００７３】
照明サブシステム２Ａの各照明器具２１において、照明制御コントローラ２０Ａからの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、照明サブシステム２Ａ内の各照明器具２１の少なくとも一部の負荷消費電力値が、図５に示す「照明消費電力」のように、上記個別目標値になるように徐々に低減する（Ｓ３）。これにより、各照明器具２１の光出力が図５に示す「光出力」のように徐々に下降していく。
【００７４】
一方、空調サブシステム３の空調制御コントローラ３０において、総合監視装置１からの電力削減指示信号がビルネットワークインターフェイス３０１で受信されると（Ｓ１，ｔ１）、電力削減制御モードに移行する。そして、電力目標値管理部３０４によってサブシステム目標値が設定され、これに合わせて制御判断部３０５によって、空調サブシステム３内の各空調機器３１の少なくとも一部に対し、現在の負荷消費電力値よりも小さい個別目標値（図５では「ΔＷ１」）が求められ、この個別目標値よりも小さい負荷消費電力値で動作させるための制御動作パターンが作成される。続いて、その制御動作パターンに合う空調制御信号が空調制御信号生成部３０３によって生成されて、信号送受信部３０２から各空調機器３１に送信される（Ｓ４）。
【００７５】
空調サブシステム３の各空調機器３１において、空調制御コントローラ３０からの空調制御信号が信号送受信部で受信されると、その空調制御信号に含まれる制御内容（制御動作パターン）に従った制御により、空調機が運転される。このとき、空調サブシステム３内の各空調機器３１の少なくとも一部の負荷消費電力値が、図５に示す「空調消費電力」のように上記個別目標値ΔＷ１よりも小さい負荷消費電力値になるように低減する（Ｓ５）。ここで、図５は、各空調機器３１が暖房モードで運転している例になっているので、各空調機器３１によって暖房されている室内の温度が、図５に示す「温度」のように徐々に下降していく。
【００７６】
ステップＳ２〜Ｓ５の後、照明サブシステム２Ａの照明制御コントローラ２０Ａにおいて、照明制御信号が上記個別目標値ΔＷ２に近づいた時分に、制御動作完了信号が生成されて、ビルネットワークインターフェイス２０１から空調サブシステム３に送信される（Ｓ６）。なお、照明サブシステム２Ａ内の各照明器具２１の少なくとも一部の負荷消費電力値は、図５に示す「照明調消費電力」のように個別目標値ΔＷ２に維持される（Ｓ７）。
【００７７】
空調サブシステム３の空調制御コントローラ３０において、照明制御コントローラ２０Ａからの制御動作完了信号がビルネットワークインターフェイス３０１で受信されると、制御判断部３０５によって、空調サブシステム３内の各空調機器３１の少なくとも一部に対し、上記空調用の個別目標値ΔＷ１で動作させるための制御動作パターンが作成される。続いて、その制御動作パターンに合う空調制御信号が空調制御信号生成部３０３によって生成されて、信号送受信部３０２から各空調機器３１に送信される（Ｓ８）。
【００７８】
空調サブシステム３の各空調機器３１において、空調制御コントローラ３０からの空調制御信号が信号送受信部で受信されると（ｔ２）、その空調制御信号に含まれる制御内容（制御動作パターン）に従った制御により、空調機が運転される。このとき、空調サブシステム３内の各空調機器３１の少なくとも一部の負荷消費電力値が、図５に示す「空調消費電力」のように上記個別目標値ΔＷ１になるように増大する。これにより、各空調機器３１によって暖房されている室内の温度が、図５に示す「温度」のように下げ止まって一定となる。
【００７９】
照明サブシステム２Ａの照明制御コントローラ２０Ａにおいて、演算処理部２００Ａによって、最新の各負荷消費電力値からサブシステム消費電力値が算出され、サブシステム目標値以下であるか否かの判断が行われる。そして、サブシステム消費電力値がサブシステム目標値以下であれば、総合監視装置１から電力削減解除信号が送信されるまで現在の動作状態が維持される。一方、サブシステム消費電力値がサブシステム目標値を超えて、演算処理部２００Ａによって目標未達成と判断されるか、または別の電力削減レベルに切り替えられるかすれば、その電力削減レベルに対応する電力削減制御モードに移行し、上記と同様の処理が実行される。
【００８０】
空調サブシステム３の空調制御コントローラ３０においても、演算処理部３００によって、最新の各負荷消費電力値からサブシステム消費電力値が算出され、サブシステム目標値以下であるか否かの判断が行われる。そして、サブシステム消費電力値がサブシステム目標値以下であれば、総合監視装置１から電力削減解除信号が送信されるまで現在の動作状態が維持される。一方、サブシステム消費電力値がサブシステム目標値を超えて、演算処理部３００によって目標未達成と判断されるか、または別の電力削減レベルに切り替えられるかすれば、その電力削減レベルに対応する電力削減制御モードに移行し、上記と同様の処理が実行される。
【００８１】
以上、第２実施形態によれば、照明制御コントローラ２０Ａおよび空調制御コントローラ３０が総合監視装置１から電力削減指示を受けると、照明制御コントローラ２０Ａは、自己が属する照明サブシステム２Ａ内の各照明器具２１の少なくとも一部に対し、現在の負荷消費電力値よりも小さい照明用の個別目標値を求めてこの個別目標値に徐々に近づけて動作させるように制御を行う一方、空調制御コントローラ３０は、自己が属する空調サブシステム３内の各空調機器３１の少なくとも一部に対し、現在の負荷消費電力値よりも小さい空調用の個別目標値を求めてこの個別目標値より小さい負荷消費電力値で動作させ、照明制御コントローラ２０Ａが照明用の個別目標値に近づけた時分に空調用の個別目標値で動作させるように制御を行うので、快適性を維持しつつ、消費電力を削減することができる。効率的な電力削減制御により、視環境（周辺温度）の変化の影響を抑えて、作業環境の快適性をできるだけ保つことができる。
【００８２】
（第３実施形態）
図６は本発明による第３実施形態のマネジメントシステムの構成図、図７は同マネジメントシステムの動作説明図である。
【００８３】
第３実施形態のマネジメントシステムは、図６に示すように、第２実施形態と同様の総合監視装置１と、第２実施形態とは異なる少なくとも１つの照明サブシステム２Ｂと、第２実施形態とは異なる少なくとも１つの空調サブシステム３Ａと、予め設定されたタイムスケジュールに従って各設定時刻に電力削減制御開始信号や電力削減制御終了信号などをビル設備ネットワークに送出するタイマ機器４とをビル設備ネットワークの配線Ｌ１に接続して構成されている。
【００８４】
照明サブシステム２Ｂは、第２実施形態と同様の複数の照明器具２１と、これらの照明器具２１と照明信号線Ｌ２を介して接続され、各照明器具２１の制御を行う照明制御コントローラ２０Ｂとを備えている。
【００８５】
この照明制御コントローラ２０Ｂは、ビルネットワークインターフェイス２０１と、信号送受信部２０２と、照明制御信号生成部２０３と、電力目標値管理部２０４と、演算処理部２００Ａとを第２実施形態の照明制御コントローラ２０Ａと同様に備えているほか、照明制御コントローラ２０Ａとの相違点として制御判断部２０５Ｂを備えている。
【００８６】
この制御判断部２０５Ｂは、第２実施形態の制御判断部２０５Ａとの相違点として、タイマ機器４から電力削減制御開始信号または電力削減制御終了信号などを、直接または総合監視装置１を経由してビルネットワークインターフェイス２０１で受信すると、それぞれに応じた制御動作パターンを作成する処理をさらに実行する。すなわち、電力削減制御開始信号を受信すると、自己が属する照明サブシステム２Ｂ内の各照明器具２１の少なくとも一部に対し、現在の負荷消費電力値よりも小さい（最小で消灯に相当する）個別目標値を求めてこの個別目標値で動作させるための制御動作パターンを作成する処理が実行される。この後、電力削減制御終了信号を受信すると、自己が属する照明サブシステム２Ｂ内の各照明器具２１の少なくとも一部に対し、元の個別目標値（例えば定格ランプ消費電力値）で動作させるための制御動作パターンを作成する処理が実行される。
【００８７】
空調サブシステム３Ａは、複数の空調機器３１と、これらの空調機器３１と空調信号線Ｌ３を介して接続され、各空調機器３１の制御を行う空調制御コントローラ３０Ａとを備えている。
【００８８】
この空調制御コントローラ３０Ａは、ビルネットワークインターフェイス３０１と、信号送受信部３０２と、空調制御信号生成部３０３と、電力目標値管理部３０４と、演算処理部３００とを第２実施形態の空調制御コントローラ３０と同様に備えているほか、空調制御コントローラ３０との相違点として、制御判断部３０５Ａを備え、例えば各空調機器３１が蓄熱および蓄冷機能を有している。
【００８９】
制御判断部３０５Ａは、第２実施形態の制御判断部３０５との相違点として、タイマ機器４から電力削減制御開始信号または電力削減制御終了信号などを、直接または総合監視装置１を経由してビルネットワークインターフェイス３０１で受信すると、それぞれに応じた制御動作パターンを作成する処理をさらに実行する。すなわち、電力削減制御開始信号を受信すると、自己が属する空調サブシステム３Ａ内の各空調機器３１の少なくとも一部に対し、照明制御コントローラ２０Ｂが負荷消費電力値を小さくしたことによる電力削減量を利用して、蓄熱または蓄冷させるための制御動作パターンを作成する処理が実行される。ここで、照明器具２１に対する電力削減量と空調機器３１の消費電力との和が、通常時の照明器具２１および空調機器３１の消費電力以下となるように設定される。また、図７の例では、冷房モードにおいて、照明サブシステム２Ｂ側の電力削減量に加えて、空調機器３１の一部電力を蓄熱または蓄冷（暖房の場合は蓄熱、この場合は蓄冷）にまわすようになっている。その後、電力削減制御終了信号を受信すると、自己が属する空調サブシステム３Ａ内の各空調機器３１の少なくとも一部に対し、元の個別目標値で動作させるための制御動作パターンを作成する処理が実行される。
【００９０】
次に第３実施形態のマネジメントシステムの動作について説明する。計時中のタイマ機器４において、設定時刻（図７の例では「昼休み」の開始時刻）になると、電力削減制御開始信号がビル設備ネットワークに送出される。
【００９１】
照明サブシステム２Ｂの照明制御コントローラ２０Ｂにおいて、タイマ機器４からの電力削減制御開始信号がビルネットワークインターフェイス２０１で受信されると（図７のｔ１１）、制御判断部２０５Ｂによって、照明サブシステム２Ｂ内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００９２】
照明サブシステム２Ｂの各照明器具２１において、照明制御コントローラ２０Ｂからの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、照明サブシステム２Ｂ内の各照明器具２１の少なくとも一部の負荷消費電力値が上記個別目標値になるように低減する。これにより、各照明器具２１の光出力が図７に示す「光出力」のように下降する。
【００９３】
一方、空調サブシステム３Ａの空調制御コントローラ３０Ａにおいて、タイマ機器４からの電力削減制御開始信号がビルネットワークインターフェイス３０１で受信されると（ｔ１１）、制御判断部３０５Ａによって、空調サブシステム３Ａ内の各空調機器３１の少なくとも一部に対し、照明制御コントローラ２０Ｂが負荷消費電力値を小さくしたことによる電力削減量を利用して、蓄熱または蓄冷させるための制御動作パターンが作成される。このとき、照明サブシステム２Ｂ側の電力削減量に加えて、空調機器３１の一部電力を蓄熱または蓄冷にまわすようにして制御動作パターンが作成される。続いて、その制御動作パターンに合う空調制御信号が空調制御信号生成部３０３によって生成されて、信号送受信部３０２から各空調機器３１に送信される。
【００９４】
空調サブシステム３Ａの各空調機器３１において、空調制御コントローラ３０Ａからの空調制御信号が信号送受信部で受信されると、その空調制御信号に含まれる制御内容（制御動作パターン）に従った制御により、空調機が運転される。このとき、空調サブシステム３Ａ内の各空調機器３１の少なくとも一部は、照明制御コントローラ２０Ｂが負荷消費電力値を小さくしたことによる電力削減量を利用して、蓄熱または蓄冷する。図７の例では、冷房モードにおいて、照明サブシステム２Ｂ側の電力削減量に加えて、空調機器３１の一部電力を蓄冷にまわすようになっているので、その一部電力を蓄冷にまわしたことにより、周囲の「温度」が若干上昇している。
【００９５】
タイマ機器４において、設定時刻（図７の例では「昼休み」の終了時刻）になると、電力削減制御終了信号がビル設備ネットワークに送出される。
【００９６】
照明サブシステム２Ｂの照明制御コントローラ２０Ｂにおいて、タイマ機器４からの電力削減制御終了信号がビルネットワークインターフェイス２０１で受信されると（ｔ１２）、制御判断部２０５Ｂによって、照明サブシステム２Ｂ内の各照明器具２１の少なくとも一部に対し、ｔ１１時点以前の元の個別目標値で動作させるための制御動作パターンが作成される。続いて、その制御動作パターンに合う照明制御信号が照明制御信号生成部２０３によって生成されて、信号送受信部２０２から各照明器具２１に送信される。
【００９７】
照明サブシステム２Ｂの各照明器具２１において、照明制御コントローラ２０Ｂからの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、照明サブシステム２Ｂ内の各照明器具２１の少なくとも一部の負荷消費電力値が元の個別目標値になるように増大する。これにより、各照明器具２１の光出力が図７に示す「光出力」のように上昇する。
【００９８】
一方、空調サブシステム３Ａの空調制御コントローラ３０Ａにおいて、タイマ機器４からの電力削減制御終了信号がビルネットワークインターフェイス３０１で受信されると（ｔ１２）、空調サブシステム３Ａ内の各空調機器３１の少なくとも一部に対し、ｔ１１時点以前の元の個別目標値で動作させるための制御動作パターンが作成される。続いて、その制御動作パターンに合う空調制御信号が空調制御信号生成部３０３によって生成されて、信号送受信部３０２から各空調機器３１に送信される。
【００９９】
空調サブシステム３Ａの各空調機器３１において、空調制御コントローラ３０Ａからの空調制御信号が信号送受信部で受信されると、その空調制御信号に含まれる制御内容（制御動作パターン）に従った制御により、空調機が運転される。このとき、空調サブシステム３Ａ内の各空調機器３１の少なくとも一部の負荷消費電力値が元の個別目標値になるように増大するが、蓄熱および蓄冷機能が保持しているエネルギーを使用するので、商用電源に対する消費電力が削減されることになる。これにより、図７の例に示すように、応答の遅い周囲の「温度」が徐々に下降することになる。
【０１００】
以上、第３実施形態によれば、タイムスケジュールに従って、照明制御コントローラ２０Ｂは、自己が属する照明サブシステム２Ｂ内の各照明器具２１の少なくとも一部に対し、現在の負荷消費電力値よりも小さい個別目標値で動作させるように制御を行う一方、空調制御コントローラ３０Ａは、自己が属する空調サブシステム３Ａ内の各空調機器３１の少なくとも一部に対し、照明制御コントローラ２０Ｂが負荷消費電力値を小さくしたことによる電力削減量を利用して、蓄熱または蓄冷するように制御を行うので、商用電源に対する消費電力をできるだけ平均化して、ピークの電力をカットし、さらに快適性を損なわないような制御が可能となる。
【０１０１】
なお、第３実施形態では、タイマ機器４がビル設備ネットワークの配線Ｌ１に接続される構成になっているが、総合監視装置が内蔵する構成でも、照明制御コントローラおよび空調制御コントローラが内蔵する構成でもよい。
【０１０２】
また、上記電力制御は、昼休みの時間に限らず、業務の状況やビルシステム全体の消費電力状況などによって適宜実行される構成でもよい。
【０１０３】
（第４実施形態）
図８は本発明による第４実施形態のマネジメントシステムの構成図、図９，図１０は同マネジメントシステムの動作説明図である。
【０１０４】
第４実施形態のマネジメントシステムは、図８に示すように、第１実施形態と同様の総合監視装置１と、第１実施形態と同様の照明サブシステム２を複数含む照明制御システムと、ブラインドサブシステム５を複数含むブラインド制御システムと、室内温度を計測する温度センサ機器６と、室内照度を計測する照度センサ機器７とをビル設備ネットワークの配線Ｌ１に接続して構成されている。
【０１０５】
ブラインドサブシステム５は、負荷機器としての電動式のブラインド５１と、このブラインド５１の制御を行うブラインドコントローラ５０とにより構成されている。なお、ブラインドサブシステム５は、ブラインド５１を複数含む構成でもよい。
【０１０６】
ブラインドコントローラ５０は、ビルネットワークインターフェイスおよび制御部などにより構成され、季節の変遷、温度センサ機器６により計測される室内温度および照度センサ機器７により計測される室内照度を参照しながら、ブラインド５１の開閉制御などの処理を行うものである。
【０１０７】
例えば、総合監視装置１からの電力削減指示信号をビルネットワークインターフェイスで受信すると、自己が属するブラインドサブシステム５内のブラインド５１に対し、開制御を行う処理が実行される。冷房が要求される夏場であれば、外光による光をブラインド５１のスラットでビル内の天井面に向けて反射させるようにそのスラットの傾きの制御を行う処理がなされる。一方、暖房が要求される冬場であれば、外光による光および熱をブラインド５１のスラットでビル内の部屋の床側に向けて反射させるようにそのスラットの傾きの制御を行う処理がなされる。
【０１０８】
また、総合監視装置１からの電力削減解除信号をビルネットワークインターフェイスで受信すると、自己が属するブラインドサブシステム５内のブラインド５１に対し、閉制御を行う処理が実行される。
【０１０９】
次に第４実施形態のマネジメントシステムの動作について説明する。第１実施形態と同様の手順を経て、総合監視装置１において、電力削減要求を出すとの判断が行われると、（例えば電力削減レベル１の）電力削減指示信号が生成されてビルネットワークインターフェイス１１を介して各サブシステムに送信される。
【０１１０】
各照明サブシステム２の照明制御コントローラ２０において、総合監視装置１からの電力削減指示信号がビルネットワークインターフェイス２０１で受信されると、電力削減制御モードに移行する。そして、電力目標値管理部２０４によってサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【０１１１】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、照明サブシステム２内の各照明器具２１の少なくとも一部の負荷消費電力値が上記個別目標値に低減する。
【０１１２】
一方、各ブラインドサブシステム５のブラインドコントローラ５０において、総合監視装置１からの電力削減指示信号がビルネットワークインターフェイスで受信されると、図９に示すように、自己が属するブラインドサブシステム５内のブラインド５１に対し、開制御が実行される。
【０１１３】
このとき、夏場であれば、図１０（ａ）に示すように、外光による光をブラインド５１のスラット５１ａでビル内の天井面に向けて反射させるようにスラット５１ａの傾き制御が実行される。これにより、開状態のブラインド５１を通して入射し天井面で反射する間接光で、各照明器具２１の照度低下を補うことができる。また、太陽熱は天井面に集まるので、床側の熱的な環境変化を抑えることができる。
【０１１４】
これに対し、冬場であれば、図１０（ｂ）に示すように、外光による光および熱をブラインド５１のスラット５１ａでビル内の部屋の床側に向けて反射させるようにスラット５１ａの傾き制御が実行される。これにより、開状態のブラインド５１を通して入射する自然光で、各照明器具２１の照度低下を補うことができる。また、室内の床側の温度も太陽熱によって上昇するので、空調機器の負荷を低減することができ、マネジメントシステム全体で好適な省エネ効果を発揮できる。
【０１１５】
以上、第４実施形態によれば、照明制御コントローラ２０およびブラインドコントローラ５０が総合監視装置１から電力削減指示を受けると、照明制御コントローラ２０は、自己が属する照明サブシステム２内の照明器具２１に対し、現在の負荷消費電力値よりも小さい個別目標値を求めてこの個別目標値で動作させるように制御を行う一方、ブラインドコントローラ５０は、自己が属するブラインドサブシステム５内のブラインド５１に対し、開制御を行うので、開制御がなされたブラインド５１を通して入射する自然光で、照明器具２１の照度低下を補うことができる。
【０１１６】
また、ブラインドコントローラ５０は、開制御を行う場合、夏場であれば外光による光をブラインド５１のスラット５１ａでビル内の天井面に向けて反射させるようにスラット５１ａの傾きの制御を行う一方、冬場であれば外光による光および熱をブラインド５１のスラット５１ａでビル内の部屋に向けて反射させるようにスラット５１ａの傾きの制御を行うので、室内環境を好適に維持しつつ、マネジメントシステム全体で好適な省エネ効果を図ることができる。
【０１１７】
なお、第４実施形態では、照度センサ機器７がビル設備ネットワークの配線Ｌ１に接続される構成になっているが、無線にてビル設備ネットワークに接続される構成でもよい。この構成によれば、図１０の例に示したように、照度センサ機器７を机上に配置する場合でも、配線により見栄えが悪くなるなどの問題が生じることがない。
【０１１８】
また、照明制御コントローラ２０も、照度センサ機器７により計測される室内照度を参照しながら、机上面に対して適切な照度が確保されるように照明器具２１の制御を実行するように構成してもよい。これにより、例えば、開状態のブラインド５１を通して採光された自然光の反射が強い窓側付近の照明器具２１に対しては、自然光の反射が弱い窓から離れた場所の照明器具２１よりも点灯レベルを下げることができるようになり、その分さらに消費電力を削減することができる。また、照度センサ機器７を机上に配置することにより、照度検出をより正確に行うことができる。
【０１１９】
【発明の効果】
以上のことから明らかなように、請求項１記載の発明は、負荷機器として照明器具を含むとともにこの照明器具の制御を行う照明用のコントローラを含む照明用のサブシステムと、別種の負荷機器を含むとともにこの負荷機器の制御を行う負荷機器用のコントローラを含む負荷機器用のサブシステムと、これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成されるマネジメントシステムに含まれる少なくとも１つの前記照明用のサブシステムによりなる照明制御システムであって、前記照明用および負荷機器用のコントローラのうち、少なくとも照明用のコントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うので、総合監視装置が、電力削減指示を与えるだけで負荷機器の具体的な制御を行う必要がなくなるため、総合監視装置の演算処理の負担を軽減することができ、その構成を簡単にして安価にすることができる。これにより、システム規模が大きくなっても、総合監視装置にかかる負担が勢い増大することなく、高コストの総合監視装置を必要としない負荷制御システムを提供することができる。例えば、サブシステムに複数の負荷機器が設けられたり、サブシステムが複数設けられたり、あるいはサブシステムが複数種類設けられたりしてシステム規模が大きくなり、加えてサブシステム内の各負荷機器の一部に対し、現在の負荷出力レベルよりも低い負荷出力レベルを求めてこの負荷出力レベルで動作させるような制御を行うようにしたとしても、その制御が総合監視装置ではなく主としてコントローラによって行われるので、総合監視装置にかかる負担を増大させることなく、負荷機器の効率的な電力削減制御が可能になり、照明環境の変化による心理的悪影響を軽減するなどの制御も可能となる。
【０１２０】
請求項２記載の発明は、請求項１記載の照明制御システム、または負荷機器として照明器具を含むとともにこの照明器具の制御を行う照明用のコントローラを含む照明用のサブシステムと、別種の負荷機器を含むとともにこの負荷機器の制御を行う負荷機器用のコントローラを含む負荷機器用のサブシステムと、これら照明および負荷機器用のサブシステムのうち、少なくとも照明用のサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成されるマネジメントシステムであって、前記照明用および負荷機器用の各コントローラが互いに連動するので、マネジメントシステム全体として最適な連動制御が可能となる。また、照明制御システムがネットワークに接続される場合には、システム規模が大きくなっても、総合監視装置にかかる負担が勢い増大することなく、高コストの総合監視装置を必要としない負荷制御システムを提供することができる。
【０１２１】
請求項３記載の発明は、請求項２記載のマネジメントシステムにおいて、前記負荷機器用のサブシステムは、前記別種の負荷機器として空調機器を含むとともにこの空調機器の制御を行う空調用のコントローラを前記負荷機器用のコントローラとして含み、前記照明用および空調用の各コントローラが前記総合監視装置から電力削減指示を受けると、前記照明用のコントローラは、自己が属するサブシステム内の照明器具に対し、現在の負荷出力レベルよりも低い負荷出力レベルを照明用の目標レベルとして求めてこの目標レベルに徐々に近づけて動作させるように制御を行う一方、前記空調用のコントローラは、自己が属するサブシステム内の空調機器に対し、現在の負荷出力レベルよりも低い負荷出力レベルを空調用の目標レベルとして求めてこの目標レベルより低い負荷出力レベルで動作させ、前記照明用のコントローラが前記照明用の目標レベルに近づけた時分に前記空調用の目標レベルで動作させるように制御を行うので、マネジメントシステム全体として、明るさと温度の観点から快適性を損なわないような連動制御が可能となり、快適性を維持しつつ、消費電力を削減することができる。効率的な電力削減制御により、視環境の変化の影響を抑えて、作業環境の快適性をできるだけ保つことができる。
【０１２２】
請求項４記載の発明は、請求項２記載のマネジメントシステムにおいて、前記負荷機器用のサブシステムは、前記別種の負荷機器として空調機器を含むとともにこの空調機器の制御を行う空調用のコントローラを前記負荷機器用のコントローラとして含み、蓄熱または蓄冷機能を有するものであり、タイムスケジュールに従って、前記照明用のコントローラは、自己が属するサブシステム内の照明器具に対し、現在の負荷出力レベルよりも低い負荷出力レベルで動作させるように制御を行う一方、前記空調用のコントローラは、前記照明用のコントローラが負荷出力レベルを低くしたことによる電力削減量を利用して、蓄熱または蓄冷するように制御を行うので、商用電源に対する消費電力をできるだけ平均化して、ピークの電力をカットし、さらに快適性を損なわないような制御が可能となる。これにより、マネジメントシステム全体で電力削減が必要な時に、できるだけ快適さを損なわないようにできる。
【０１２３】
請求項５記載の発明は、請求項２記載のマネジメントシステムにおいて、前記負荷機器用のサブシステムは、前記別種の負荷機器として電動式のブラインドを含むとともにこのブラインドの制御を行うブラインド用のコントローラを前記負荷機器用のコントローラとして含み、前記照明用およびブラインド用の各コントローラが前記総合監視装置から電力削減指示を受けると、前記照明用のコントローラは、自己が属するサブシステム内の照明器具に対し、現在の負荷出力レベルよりも低い負荷出力レベルを求めてこの負荷出力レベルで動作させるように制御を行う一方、前記ブラインド用のコントローラは、自己が属するサブシステム内のブラインドに対し、開制御を行うので、開制御がなされたブラインドを通して入射する自然光で、照明器具の照度低下を補うことができる。
【０１２４】
請求項６記載の発明は、請求項５記載のマネジメントシステムにおいて、前記照明用および負荷機器用のサブシステムはビル設備として設けられ、前記ブラインド用のコントローラは、前記開制御を行う場合、夏場であれば外光による光をそのブラインドのスラットでビル内の天井面に向けて反射させるようにそのスラットの傾きの制御を行う一方、冬場であれば外光による光および熱をそのブラインドのスラットでビル内の部屋に向けて反射させるようにそのスラットの傾きの制御を行うので、室内環境を好適に維持しつつ、マネジメントシステム全体で好適な省エネ効果を図ることができる。
【図面の簡単な説明】
【図１】本発明による第１実施形態のマネジメントシステムの構成図である。
【図２】図１中の照明器具の構成図である。
【図３】本発明による第２実施形態のマネジメントシステムの構成図である。
【図４】同マネジメントシステムの動作説明図である。
【図５】同マネジメントシステムの動作説明図である。
【図６】本発明による第３実施形態のマネジメントシステムの構成図である。
【図７】同マネジメントシステムの動作説明図である。
【図８】本発明による第４実施形態のマネジメントシステムの構成図である。
【図９】同マネジメントシステムの動作説明図である。
【図１０】同マネジメントシステムの動作説明図である。
【図１１】第１従来技術の（ビル）マネジメントシステムの構成図である。
【図１２】同マネジメントシステムにおける総合監視装置の構成図である。
【図１３】同マネジメントシステムにおける照明サブシステムの模式図である。
【符号の説明】
１  総合監視装置
１０  制御部
１１  ビルネットワークインターフェイス
１２  消費電力監視部
２，２Ａ，２Ｂ  照明サブシステム
２０，２０Ａ，２０Ｂ  照明制御コントローラ
２００，２００Ａ  演算処理部
２０１  ビルネットワークインターフェイス
２０２  信号送受信部
２０３  照明制御信号生成部
２０４  電力目標値管理部
２０５，２０５Ａ，２０５Ｂ  制御判断部
２１  照明器具
２１０  制御部
２１１  信号送受信部
２１２  点灯装置
２１３  点灯レベル検出回路
３  空調サブシステム
３０，３０Ａ  空調制御コントローラ
３００  演算処理部
３０１  ビルネットワークインターフェイス
３０２  信号送受信部
３０３  空調制御信号生成部
３０４  電力目標値管理部
３０５，３０５Ａ  制御判断部
３１  空調機器
４  タイマ機器
５  ブラインドサブシステム
５０  ブラインドコントローラ
５１  ブラインド
６  温度センサ機器
７  照度センサ機器
【図１】
2004178938.tif 000003
【図２】
2004178938.tif 000004
【図３】
2004178938.tif 000005
【図４】
2004178938.tif 000006
【図５】
2004178938.tif 000007
【図６】
2004178938.tif 000008
【図７】
2004178938.tif 000009
【図８】
2004178938.tif 000010
【図９】
2004178938.tif 000011
【図１０】
2004178938.tif 000012
【図１１】
2004178938.tif 000013
【図１２】
2004178938.tif 000014
【図１３】
2004178938.tif 000015